(57)【要約】宅配ボックスの扉の開口部に取り付けられる電気錠の防水構造が、開口部の周縁部に押圧されて取り付けられるフランジ部（５０）と、フランジ部（５０）の外周縁部より内側の位置で外周縁部に沿って形成された凹溝に設けられ、開口部の周縁部とフランジ部（５０）との間で挟み付けられる弾性防水パッキン（５４）とを備えるようにする。フランジ部（５０）には、弾性防水パッキン（５４）とフランジ部（５０）の外周縁部との間において弾性防水パッキン（５４）の側面の一部を露出させる段差部（５８）が形成されている。これにより、電気錠に対して扉の表側から水が浸入するのを抑制する。
2020174723.tif 000002
【特許請求の範囲】
【請求項１】
宅配ボックスの扉の開口部に取り付けられる電気錠の防水構造であって、
前記開口部の周縁部に押圧されて取り付けられるフランジ部と、
前記フランジ部の外周縁部より内側の位置で前記外周縁部に沿って形成された凹溝に設けられ、前記開口部の周縁部と前記フランジ部との間で挟み付けられる弾性防水パッキンと、を備え、
前記フランジ部には、前記弾性防水パッキンと前記外周縁部との間において前記弾性防水パッキンの側面の一部を露出させる段差部が形成されている、
宅配ボックス用電気錠の防水構造。
【請求項２】
前記フランジ部は正面視で略長方形状の外形をなし、前記弾性防水パッキンは前記フランジ部の外周縁部全周に設けられており、前記段差部は前記フランジ部の外周縁部のうち少なくとも一対の長辺部分に形成されている、請求項１に記載の宅配ボックス用電気錠の防水構造。
【請求項３】
前記フランジ部の外周縁部に含まれる一対の短辺部分のうち、前記電気錠において前記フランジ部と一体形成されている筐体状の制御部収納部から離れて位置する一方の短辺部分には前記段差部は形成されており、前記制御部収納部の近くに位置する他方の短辺部分には前記段差部が形成されていない、請求項２に記載の宅配ボックス用電気錠の防水構造。
【請求項４】
前記フランジ部は正面視で略長方形状の外形をなすとともに４つのコーナー部に後方へ突出する雌ネジ付きボス部を有しており、前記扉の後面側から前記ボス部にネジを締め付けて固定される取付ブラケットと前記フランジ部との間に前記扉の開口部の周縁部を挟み込むことによって前記電気錠が前記扉に固定される、請求項１〜３のいずれか一項に記載の宅配ボックス用電気錠の防水構造。
【発明の詳細な説明】
【技術分野】
【０００１】
本開示は、宅配ボックスの扉の開口部に取り付けられる電気錠の防水構造に関する。
【背景技術】
【０００２】
従来より、宅配ボックスの扉に電気錠を設け、この電気錠をスマートフォン等の通信端末を用いて解錠操作することが提案されている。このような電気錠は、例えば制御基板やモータ等などの電装部品を内蔵して構成されるため、宅配ボックスの扉の表側から電気錠内部に水が浸入することによって故障等が発生しないように防水構造を設ける必要がある。【０００３】
例えば、特許文献１には、電気錠用錠箱に内装される電装部品を、錠箱の外部から内部へと侵入する水分から保護するため、電装部品の真上に相当する錠箱の上壁に所定形状の開口部分を形成し、この開口部分に屋根形状の上面を有する弾性防水片を固定的に嵌め合わせて構成される電気錠用錠箱の防水構造が記載されている。
【先行技術文献】
【特許文献】
【０００４】
【特許文献１】特開２００９−１１４６８３号公報
【発明の概要】
【発明が解決しようとする課題】
【０００５】
宅配ボックスの扉に形成された開口部に電気錠を設置する場合、電気錠の本体部を扉の表側から開口部に挿入した状態で電気錠のフランジ部と扉の開口部の周縁部との間に例えばゴム製のパッキンを挟み込んだ状態で電気錠を固定することが考えられる。この場合、例えば正面視で矩形状をなすフランジ部の４つのコーナー部をネジ留めして固定すると、パッキンが潰された状態で挟まれていることによってフランジ部が湾曲して取り付けられることがあり、パッキンによる防水性能を十分に発揮できない可能性がある。【０００６】
本開示の目的は、宅配ボックスの扉の開口部に取り付けられる電気錠に対して扉の表側から水が浸入するのを確実に防止できる宅配ボックス用電気錠の防水構造を提供することにある。
【課題を解決するための手段】
【０００７】
本開示の宅配ボックス用電気錠の防水構造は、宅配ボックスの扉の開口部に取り付けられる電気錠の防水構造であって、開口部の周縁部に押圧されて取り付けられるフランジ部と、フランジ部の外周縁部より内側の位置で外周縁部に沿って形成された凹溝に設けられ、開口部の周縁部とフランジ部との間で挟み付けられる弾性防水パッキンと、を備え、フランジ部には、弾性防水パッキンと外周縁部との間において弾性防水パッキンの側面の一部を露出させる段差部が形成されている。
【発明の効果】
【０００８】
本開示に係る宅配ボックス用電気錠の防水構造によれば、宅配ボックスの扉の開口部に取り付けられる電気錠に対して扉の表側から水が浸入するのを確実に防止できる。
【図面の簡単な説明】
【０００９】
【図１】本開示の一実施形態である宅配ボックス用電気錠の防水構造を備えた宅配ボックスを含む宅配ボックスシステムの使用形態を概略的に示す図である。
【図２】宅配ボックスに備えられている電気錠の前側斜視図である。
【図３】図２に示す電気錠の後側斜視図である。
【図４】電気錠のラッチが係合するボックス開口部内面に設けられた切欠部を示す斜視図である。
【図５】図２に示す電気錠において管理用シリンダー錠のカバーを取り外した状態を示す図である。
【図６】電気錠の機能ブロック図である。
【図７】電気錠を扉に取り付ける２つの取付ブラケットを分解した状態で示す後側斜視図である。
【図８】図７におけるＡ部拡大図である。
【図９】扉の開口周縁部と電気錠のフランジ部とに挟まれて弾性防水パッキンが潰れた状態で配置されている様子を示す断面図である。
【図１０】宅配ボックスの扉に取り付けられた電気錠を上方から見た状態で示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態である宅配ボックス用電気錠の防水構造を備えた宅配ボックス１０を含む宅配ボックスシステム１の使用形態を概略的に示す図である。宅配ボックスシステム１は、複数の宅配ボックス１０を一体に備える。図１に例示する宅配ボックスシステム１では、宅配ボックス１０が３列５段に配列されている。宅配ボックスシステム１は、例えば、駅やコンビニエンスストアなどに設置される。
【００１２】
各宅配ボックス１０は、前面に設けられたボックス開口部を開閉する扉１２と、扉１２に設置された電気錠１４とを備える。宅配ボックス１０を利用する配送人Ｄ及び荷受人Ｒは、それぞれ携帯する通信端末であるスマートフォンＤＰ，ＲＰを使って荷物Ｎの納品及び受取りが可能である。スマートフォンＤＰ，ＲＰは、宅配ボックス１０の電気錠１４と近距離無線通信を行うと共に、クラウドＣと公衆回線又は専用回線を介して通信する。クラウドＣは、宅配ボックスシステム１の管理者のサーバによって好適に構成される。
【００１３】
図２は、宅配ボックス１０に備えられている電気錠１４の前側斜視図である。図３は、図２に示す電気錠１４の後側斜視図である。なお、図２及び図３（図４及び図５でも同様）には、互いに直交する前後方向、左右方向、及び、上下方向がそれぞれ矢印で示されている。ここでの左右方向は、電気錠１４を前方から見て「右」、「左」という。
【００１４】
電気錠１４は、宅配ボックス１０の扉１２の施錠及び解錠を行う機能を有する。図２及び図３に示すように、電気錠１４は、ハンドル１８及びラッチ２０を備える。ハンドル１８及びラッチ２０は、前方から見た正面視で横長の長方形状をなす錠本体部１６に取り付けられている。錠本体部１６は、例えば、樹脂成形品によって好適に構成される。
【００１５】
ハンドル１８は、扉１２を開放する際に操作される部材である。ハンドル１８は、錠本体部１６の凹部１７内に収納配置されている。ハンドル１８は、正面視で略Ｔ字状をなし、上下方向に延伸する操作部１８ａと、操作部１８ａから左右方向に沿って突出する腕部１８ｂとを有する。腕部１８ｂの端部は、錠本体部１６の内側に回動可能に設けられた軸部材（図示せず）に固定されている。これにより、ハンドル１８は、腕部１８ｂが固定された軸部材を中心に揺動可能になっている。
【００１６】
ラッチ２０は、錠本体部１６の後面に一体形成された筒状のガイド部２２内において、左右方向に移動可能に配置されている。ラッチ２０は、図示しない付勢部材によって左方向に常時付勢されており、その一端部２０ａが電気錠１４の錠本体部１６の左側端面から側方に突出している。ラッチ２０の一端部２０ａには、後方にいくに従って右側位置となる傾斜面２１が形成されている。
【００１７】
図４は、電気錠１４のラッチ２０が係合するボックス開口部内面に設けられた切欠部を示す斜視図である。図４に示すように、扉１２によって開閉される宅配ボックス１０の開口部１１の内面には、例えば金属平板からなるプレート２４がネジ留め等によって固定されている。このプレート２４には、例えば矩形状の切欠部２６が形成されている。扉１２が閉じられるとき、ラッチ２０の一端部２０ａが、傾斜面２１にプレート２４が当接することによって一旦引っ込んだ後、切欠部２６の位置まで到達すると一端部２０ａが切欠部２６に進入するように移動する。これにより、扉１２がボックス開口部１１を閉じた状態が維持される。他方、ラッチ２０は、電気錠１４がアンロック状態にあるとき、ハンドル１８の操作によって右方向にスライド移動する。これにより、ラッチ２０の一端部２０ａが切欠部２６から脱出し、扉１２を開放することができる。
【００１８】
このようにラッチ２０は、電気錠１４がアンロック状態にあるときハンドル１８の操作に連動して、扉１２によって開閉されるボックス開口部１１の内面に設けられた切欠部２６に一端部が出入りすることで、扉１２の開閉動作を行うことができる。
【００１９】
図４に示すように、プレート２４には、切欠部２６の近傍にマグネット２８が取り付けられている。マグネット２８は、例えば、ネジ留め等によってプレート２４に固定されている。本実施形態では、マグネット２８は、ラッチ２０の一端部２０ａが出入りする切欠部２６に対して上方且つ後側に配置されている。マグネット２８は、電気錠１４に設けられた開閉センサ６０（図２参照）によって検知されるか否かで、扉１２の開閉状態を検知するためのものである。
【００２０】
なお、本実施形態ではプレート２４に切欠部２６及びマグネット２８を配置した例について説明したが、これに限定されるものではなく、切欠部及びマグネットの少なくとも一方はボックス開口部１１の内面にプレート等を介することなく直に設けてもよい。
【００２１】
図５は、図２に示す電気錠１４において管理用シリンダー錠のカバーを取り外した状態を示す図である。図２、図３及び図５を参照すると、電気錠１４は、管理用シリンダー錠３０を更に備える。管理用シリンダー錠３０は、宅配ボックスシステム１の管理者が有する鍵を挿入して回動させることより、ハンドル１８がロック状態にあるときでもラッチ２０を一端部２０ａが切欠部２６（図４参照）から脱出した位置に移動させることができる。
【００２２】
管理用シリンダー錠３０は、鍵穴を有する前端面が錠本体部１６の前面から奥まった位置となって錠本体部１６に固定されている。図２に示すように、管理用シリンダー錠３０の前端面は、通常、例えば樹脂成形品からなる円盤状の前カバー３２によって覆われている。前カバー３２は、錠本体部１６の前面に例えば圧入、螺合等によって固定されている。前カバー３２には、凹条３４が形成されている。管理者は、例えば、コイン等を凹条３４に嵌め入れて回転させることによって、図５に示すように、前カバー３２を錠本体部１６から取り外して管理用シリンダー錠３０を露出させ、シリンダー錠３０に鍵を挿入することが可能になる。このように通常時には管理用シリンダー錠３０の鍵穴がある前端面が前カバー３２によって覆われていることで、鍵穴に異物を挿入される等のいたずらを防止することができる。
【００２３】
図３に示すように、管理用シリンダー錠３０の後部は、例えば、樹脂成形品からなる後カバー３６によって覆われている。後カバー３６は、例えばネジ留め等によって錠本体部１６に固定されている。管理用シリンダー錠３０の後端面には突起が突設されている。管理用シリンダー錠３０の鍵穴に管理者が有する鍵を挿入して回動させると、管理用シリンダー錠３０の後端面に設けた突起が回動して、ラッチ２０に連結されている連結部材を右方向に押圧する。これにより、ロック機構４０によってハンドル１８がロック状態にあるときでもラッチ２０を一端部２０ａが切欠部２６（図４参照）から脱出した位置に移動させることができる。
【００２４】
図３に示すように、ラッチ２０の他端部には、緊急脱出用レバー２７が取り付けられている。緊急脱出用レバー２７は、ロック機構４０によってハンドル１８がロック状態にあるときでもラッチ２０を一端部２０ａが切欠部２６から脱出した位置に移動させることができる。これにより、万一に宅配ボックス１０内に子供等が閉じ込められた場合でも、緊急脱出用レバー２７を操作してラッチ２０を右方向に移動させることで扉１２が開放可能となり、宅配ボックス１０の安全性が確保される。
【００２５】
電気錠１４は、ロック機構４０を更に備える。ロック機構４０は、ハンドル１８による扉１２の開放操作を規制するロック状態又は開放操作を許可するアンロック状態にする機能を有する。
【００２６】
図３に示すように、ロック機構４０は、例えば樹脂成型品からなるケース４２に収納された状態で、電気錠１４の錠本体部１６の後面側に設けられている。ケース４２は、錠本体部１６においてラッチ２０をスライド可能に収容するガイド部２２と一体に形成された平板状のベース部２３の上に、例えばネジ留め等によって取り付けられている。
【００２７】
ロック機構４０は、ロック用モータ及びロックレバー（いずれも図示せず）を備える。ロック用モータの動作は、後述する制御部によって制御される。通常、ロックレバーは、ハンドル１８の操作に連動して回転するロック部材の突出部に係合している。これにより、ハンドル１８の回動が規制されて操作不能となり、宅配ボックス１０は施錠状態すなわちロック状態になっている。
【００２８】
この状態で、ロック用モータによってロックレバーが回動され、ハンドル１８の操作に連動して回転するロック部材の突出部と係合しない位置にロックレバーが回動すると、ロック機構４０はアンロック状態となる。これにより、ハンドル１８が操作可能となり、宅配ボックス１０は解錠状態すなわちアンロック状態となる。
【００２９】
なお、ロック機構４０は、ロック状態であることを検知するロックセンサを備えてもよい。ロックセンサは、例えば、ロックレバーの回動位置を検知するマイクロスイッチによって好適に構成される。
【００３０】
再び図２を参照すると、電気錠１４は、テンキー入力部６４を更に備える。本実施形態の電気錠１４において、テンキー入力部６４は、錠本体部１６の前面のうち右側部分に配置されている。テンキー入力部６４は、荷受人のスマートフォンＲＰに届いた例えばパスワード等の解錠用番号の入力を受け付ける機能を有する。
【００３１】
テンキー入力部６４は、「１」〜「９」及び「０」の１０個の数字キーを含むのに加えて、取消キー６５及びエンターキー６６を含む。また、テンキー入力部６４の上部には点灯部６７が設けられているのが好ましい。点灯部６７の光源には、ＬＥＤ（Ｌｉｇｈｔ  Ｅｍｉｔｔｉｎｇ  Ｄｉｏｄｅ）が好適に用いられる。点灯部６７は、電気錠１４が解錠されたときに点灯されることで、配送人及び荷受人を含むユーザに電気錠１４がアンロック状態にあることを報知する機能を有する。
【００３２】
図３に示すように、電気錠１４の錠本体部１６の後面には、制御部収納部１５が設けられている。制御部収納部１５の後側開口部は、蓋部材１９によって閉じられている。これにより、扉１２の内側から制御部収納部１５内への浸水が防止される。蓋部材１９の内面には、防水効果を高めるためにパッキン部材を設けることが好ましい。
【００３３】
制御部収納部１５は、電気錠１４の錠本体部１６において前面側のテンキー入力部６４と前後方向に揃った位置に設けられている。これにより、制御部収納部１５内に配置される制御部や電源部とテンキー入力部６４との間の配線が容易になる。また、ロック機構４０に含まれるロック用モータもまた、ロック機構４０において制御部収納部１５に近い端部側に配置されている。これにより、制御部収納部１５内に配置される制御部や電源部とロック用モータとの間の配線が容易になる。
【００３４】
図６は、宅配ボックス１０の電気錠１４の機能ブロック図である。図６に示すように、電気錠１４は、上述したようにロック用モータ、開閉センサ６０及びテンキー入力部６４を備えるのに加えて、電源部７０、通信部７２、制御部７４、及び記憶部７６を更に備える。通信部７２、制御部７４及び記憶部７６は、制御基板７８に実装された状態で制御部収納部１５内に収納されてもよい。
【００３５】
本実施形態の電気錠１４において電源部７０は、制御部収納部１５内に収納されている。電源部７０は、上述した各部６０，６４，７２，７４などに動作用電力を供給する。電源部７０は、例えば１本又は複数本の電池によって好適に構成される。このように電源部７０を電池によって構成することで、宅配ボックスシステム１を電気配線工事なしで設置することができるので、施工性が良好となり設置コストを低減できる。
【００３６】
通信部７２は、配送人及び荷受人のスマートフォンＤＰ，ＲＰから送信される解除信号を近距離無線により受信する機能を有する。通信部７２は、スマートフォンＤＰ，ＲＰとの間で、例えばＢＬＥ（Ｂｌｕｅｔｏｏｔｈ（登録商標）  Ｌｏｗ  Ｅｎｅｒｇｙ)通信などの近距離無線通信を行う。より詳しくは、通信部７２は、スマートフォンＤＰ，ＲＰとの間でのみ近距離無線通信を行い、それ以外の外部との通信を行わないことが好ましい。これにより、通信に必要な電力消費を抑制でき、電池からなる電源部７０の長寿命化を図れる。
【００３７】
制御部７４は、通信部７２又はテンキー入力部６４によって受け付けた解錠信号または解錠用番号が認証されたときロック用モータを駆動してロック機構４０をアンロック状態とする機能を有する。制御部７４は、例えばマイクロプロセッサ等によって好適に構成される。
【００３８】
また、制御部７４は、開閉センサ６０及びロックセンサの各検知結果を、通信部７２から、配送人Ｄ又は荷受人ＲのスマートフォンＤＰ，ＲＰを介して外部に送信する機能する。この通信もまた、例えばＢＬＥ通信などの近距離無線通信によって行われる。スマートフォンＤＰ，ＲＰに送信された開閉センサ６０及びロックセンサの各検知結果は、スマートフォンＤＰ，ＲＰから公衆回線等を介してクラウドＣ（例えば、管理者のサーバ等）に送信される。
【００３９】
記憶部７６は、宅配ボックス１０への荷物の納品や宅配ボックス１０からの荷物の受取りの際に行われるセキュリティ認証に必要なプログラムやデータを記憶する機能を有する。記憶部７６は、例えば、宅配ボックス１０の使用履歴(例えば、扉１２の開閉日時、電気錠１４の解錠日時等)を記憶してもよい。
【００４０】
次に、図７〜図９を参照して、本実施形態に係る宅配ボックス用電気錠の防水構造について説明する。図７は、電気錠１４を扉１２に取り付ける２つの取付ブラケット４４を分解した状態で示す後側斜視図である。図８は、図７におけるＡ部拡大図である。図９は、扉１２の開口周縁部と電気錠１４のフランジ部とに挟まれて弾性防水パッキンが潰れた状態で配置されている様子を示す断面図である。
【００４１】
図７に示すように、電気錠１４は、２つの取付ブラケット４４によって宅配ボックス１０の扉１２に取り付けられる。取付ブラケット４４は、例えば、金属板をＬ字状に折り曲げ加工した長尺状の部材であり、左右方向の両端には貫通孔を有する取付部４５が上下方向及び左右方向に沿う向きにそれぞれ折り曲げ形成されている。
【００４２】
電気錠１４の錠本体部１６は、前方から見た正面視で横長の長方形状をなしている。錠本体部１６の後面には、上述したように、ラッチ２０をガイドするガイド部２２、管理用シリンダー錠３０の後側を覆う後カバー３６、ロック機構４０を覆うケース４２、及び、制御部収納部１５などが後方に突出して設けられている。錠本体部１６は、これらの構成部材２２，３６，４２，１５に対して上下方向及び左右方向の外側に張り出したフランジ部５０を有している。
【００４３】
フランジ部５０は、図９に示すように、電気錠１４が扉１２に形成された矩形状の開口部１３に固定されるとき、開口部１３の前面側の周縁部に押圧されて取り付けられる部分である。図７に示すように、フランジ部５０は、前方から見た正面視で略長方形状の外形を有する。また、フランジ部５０は、一対の長辺部分（すなわち上辺部分と下辺部分）と、一対の短辺部分（すなわち右辺部分と左辺部分）とを有する。
【００４４】
フランジ部５０の後面には、弾性防水パッキン５４がフランジ部５０の外周縁部の全周に亘って設けられている。弾性防水パッキン５４は、扉１２の開口部１３の周縁部とフランジ部５０との間で挟み付けられることによって、扉１２の前面側から電気錠１４の内部に水が浸入するのを防止する機能を有する。
【００４５】
弾性防水パッキン５４は、例えば、スポンジゴム等によって好適に構成される。弾性防水パッキン５４は、フランジ部５０の外周縁部より内側の位置で当該外周縁部に沿って形成された凹溝５６内に例えば接着等で固定された状態で設けられている。弾性防水パッキン５４の後面は、フランジ部５０の後面よりも後方に突出した位置にある。
【００４６】
図７に示すように、フランジ部５０の４つのコーナー部には、雌ネジ部５３（図８参照）が形成されたボス部５２が後方に突出してそれぞれ形成されている。これらのボス部５２の雌ネジ部５３に、取付ブラケット４４の取付部４５の貫通孔に後方から挿入したネジ４６を締め付けることによって、電気錠１４が扉１２に取り付けられる。このとき、弾性防水パッキン５４は、扉１２の開口部１３の周縁部とフランジ部５０との間に挟み付けられて押し潰された状態となる。
【００４７】
図８には、取付ブラケット４４によって電気錠１４が扉１２に取り付けられた状態でのフランジ部５０及び弾性防水パッキン５４の様子が示されている。図８に示すように、フランジ部５０には、弾性防水パッキン５４とフランジ部５０の外周縁部との間において弾性防水パッキン５４の側面の一部を露出させる段差部５８が形成されている。本実施形態では、段差部５８は、フランジ部５０において一対の長辺部分と一方の短辺部分である左辺部分とに形成されており、他方の短辺部分である右辺部分には形成されていない。これは、錠本体部１６の右側部分には制御部収納部１５が一体に形成されているため、フランジ部５０において制御部収納部１５に隣接している右辺部分の剛性が左辺部分よりも大きい。そのため、取付ブラケット４４を用いて電気錠１４を固定したときに撓みにくく、右辺部分での弾性防水パッキン５４の防水性能の低下が生じにくいからである。ただし、上記の構成に限定されるものではなく、フランジ部５０の右辺部分にも段差部を形成してもよい。
【００４８】
段差部５８は、弾性防水パッキン５４に隣接する外周縁部の厚みがフランジ部５０の他の部分よりも薄くなっていることによって形成される。換言すれば、フランジ部５０のコーナー部において弾性防水パッキン５４に隣接する部分が略Ｌ字状の突部５９として形成されている。このように段差部５８が形成されていることで、弾性防水パッキン５４の側面の一部が露出した状態となっている。
【００４９】
図１０は、宅配ボックス１０の扉１２に取り付けられた電気錠１４を上方から見た状態で示す図である。２つの取付ブラケット４４を用いて電気錠１４を扉１２に固定したとき、図９に示すように、弾性防水パッキン５４は、扉１２の開口部１３の周縁部とフランジ部５０との間に挟まれて押し潰された状態になる。そうすると、図１０中に二点鎖線で示すように、フランジ部５０の一対の長辺部分では弾性防水パッキン５４の圧縮による反発力によって撓みが生じることがある。このことは、フランジ部５０の左辺部分においても同様であるが、この傾向は長辺部分の方が大きい。このような撓みが生じると、フランジ部５０の一対の長辺部分および左辺部分の特に中央領域において弾性防水パッキン５４による防水性能が低下する。
【００５０】
これに対し、本実施形態の電気錠１４では、フランジ部５０の一対の長辺部分および左辺部分に、弾性防水パッキン５４に隣接して段差部５８が形成されている。そのため、図９に示すように、圧縮変形して潰れた弾性防水パッキン５４の一部が段差部５８に逃げることができ、その結果、一対の長辺部分および左辺部分において弾性防水パッキン５４の圧縮変形による反発力を抑えることができる。これにより、図１０に示すように、フランジ部５０を撓ませることなく電気錠１４を扉１２に取り付けることができ、弾性防水パッキン５４による防水性能を良好に発揮することができる。
【００５１】
上述したように本実施形態は、宅配ボックス１０の扉１２の開口部１３に取り付けられる電気錠１４の防水構造であって、開口部１３の周縁部に押圧されて取り付けられるフランジ部５０と、フランジ部５０の外周縁部より内側の位置で外周縁部に沿って形成された凹溝５６に設けられ、開口部１３の周縁部とフランジ部５０との間で挟み付けられる弾性防水パッキン５４とを備える。フランジ部５０には、弾性防水パッキン５４とフランジ部５０の外周縁部との間において弾性防水パッキン５４の側面の一部を露出させる段差部５８が形成されている。この構成によれば、宅配ボックス１０の扉１２の開口部１３に取り付けられる電気錠１４に対して扉１２の表側から水が浸入するのを確実に防止できる。
【００５２】
本実施形態の宅配ボックス用電気錠の防水構造では、フランジ部５０は正面視で略長方形状の外形をなし、弾性防水パッキン５４はフランジ部５０の外周縁部全周に設けられており、段差部５８はフランジ部の外周縁部のうち少なくとも一対の長辺部分に形成されている。これにより、フランジ部５０における一対の長辺部分の防水性能を良好なものにできる。
【００５３】
また、本実施形態の宅配ボックス用電気錠の防水構造では、フランジ部５０の外周縁部に含まれる一対の短辺部分のうち、電気錠１４においてフランジ部５０と一体形成されている筐体状の制御部収納部１５から離れて位置する一方の短辺部分（すなわち左辺部分）には段差部は形成されており、制御部収納部１５の近くに位置する他方の短辺部分（すなわち右辺部分）には段差部５８が形成されていない。この構成によれば、フランジ部５０における左辺部分の防水性能を良好なものにできる。
【００５４】
さらに、本実施形態の宅配ボックス用電気錠の防水構造では、フランジ部５０は正面視で略長方形状の外形をなすとともに４つのコーナー部に後方へ突出する雌ネジ付きボス部５２を有しており、扉１２の後面側からボス部５２にネジ４６を締め付けて固定される取付ブラケット４４とフランジ部５０との間に扉１２の開口部１３の周縁部を挟み込むことによって電気錠１４が扉１２に固定される。この構成によれば、扉１２の開口部１３に対する電気錠１４を容易かつ強固に取り付けることができる。
【００５５】
なお、本開示は上述した実施形態およびその変形例に限定されるものではなく、本願の特許請求の範囲に記載された事項の範囲内において種々の変更や改良が可能であることはもちろんである。
【符号の説明】
【００５６】
１  宅配ボックスシステム、１０  宅配ボックス、１１  ボックス開口部、１２  扉、１３  （電気錠取付用）開口部、１４  電気錠、１５  制御部収納部、１６  錠本体部、１７  凹部、１８  ハンドル、１９  蓋部材、２０  ラッチ、２１  傾斜面、２２  ガイド部、２３  ベース部、２４  プレート、２６  切欠部、２７  緊急脱出用レバー、２８  マグネット、３０  管理用シリンダー錠、３２  前カバー、３４  凹条、３６  後カバー、４０  ロック機構、４２  ケース、４４  取付ブラケット、４５  取付部、４６  ネジ、５０  フランジ部、５２  ボス部、５３  雌ネジ部、５４  弾性防水パッキン、５６  凹溝、５８  段差部、５９  突部、６０  開閉センサ、６４  テンキー入力部、６５  取消キー、６６  エンターキー、６７  点灯部、７０  電源部、７２  通信部、７４  制御部、７６  記憶部、７８  制御基板、Ｃ  クラウド、Ｄ  配送人、ＤＰ，ＲＰ  スマートフォン、Ｎ  荷物、Ｒ  荷受人。
【図１】
2020174723.tif 000003
【図２】
2020174723.tif 000004
【図３】
2020174723.tif 000005
【図４】
2020174723.tif 000006
【図５】
2020174723.tif 000007
【図６】
2020174723.tif 000008
【図７】
2020174723.tif 000009
【図８】
2020174723.tif 000010
【図９】
2020174723.tif 000011
【図１０】
2020174723.tif 000012
【国際調査報告】
2020174723.tif 000013
2020174723.tif 000014
2020174723.tif 000015